(57)【要約】【課題】本発明は、印刷物作成工程において、印刷色を参照色票と同時に撮影することで専用の測定機器を用いず、印刷色が基準通りに印刷されているかを評価、確認するシステムを提供するものである。【解決手段】印刷色（１３）を参照色票（１４）と同時に撮影機器（１２）で撮影する撮影部（１１）と、撮影手段により取得した３原色信号を参照色票データベース（２２）を用いて色彩値に変換する変換部（２１）と、変換部（２１）で得られた色彩値と色基準データベース（３２）を用いて印刷色と色基準とを比較する比較部（３１）と、比較部（３１）で得られた結果を表示する表示部（４１）を備え、印刷色の色評価を実施する【選択図】図１
2007028143.tif 000002
【特許請求の範囲】
【請求項１】
印刷色を撮影する撮影手段と、
前記撮影手段で得られた撮影画像の３原色信号を色彩値および濃度に変換する変換手段と、
前記変換手段で得られた色彩値および濃度値と、あらかじめ設定された色基準データベースの色彩値および濃度値とを比較し差異を計算する比較手段と、
前記比較手段で計算された差異を表示する表示手段と、
を備えた印刷色評価システムであって、
印刷色は、色彩値および濃度値が既知である１色以上の色票を配置した参照色票と同時に撮影され、
変換手段は、前記参照色票の色彩値あるいは３原色信号データを含む参照色票データベースを参照して、撮影された参照色票の３原色信号と、撮影された指定色の３原色信号とを基に、色彩値に変換する工程を含むものである、
印刷色評価システム。
【請求項２】
参照色票データベースは、あらかじめ２つ以上の撮影条件で参照色票を撮影した３原色信号データおよび色変換パラメータを含むことを特徴とする請求項１に記載した印刷色評価システム。
【請求項３】
色基準データベースは、複数の印刷色に関する色基準を格納したデータベースであって色名称、CMYK値、XYZ、CIEL*a*b*色彩値、および、濃度値を含むことを特徴とする請求項１または請求項２に記載した印刷色評価システム。
【請求項４】
変換手段は、撮影手段において印刷色と同時に撮影した参照色票の３原色信号と、参照色票データベースにおける参照色票を撮影した３原色信号とを比較し、３原色信号が一番近い撮影条件を参照色票データベースから検索し、検索された撮影条件の色変換パラメータを使用して、撮影された印刷色の３原色信号を色彩値に変換することを特徴とする請求項１から請求項３いずれかに記載した印刷色評価システム。
【請求項５】
比較手段は、変換手段により変換された印刷色の色彩値および濃度値と、あらかじめ設定された色基準データベースの色彩値および濃度値とを比較し、色差および濃度差を計算することを特徴とする請求項１から４いずれかに記載した印刷色評価システム。
【請求項６】
表示手段は、比較手段により計算された印刷色と印刷色基準との色差および濃度差の少なくとも１つを表示させることを特徴とする請求項１から５いずれかに記載した印刷色評価システム。
【発明の詳細な説明】
【技術分野】
【０００１】
この発明は、印刷物作成において、印刷色が基準通りに印刷されているかどうかを評価するシステムに関する。
【背景技術】
【０００２】
カラー印刷物作成工程において、印刷物を基準通りの色で印刷する必要がある。そのため、印刷現場では、印刷を行いながら、印刷物が基準通りに印刷されているかどうかの評価、確認を随時行っている。基準通りに印刷されているかどうかを確認するための方法として、目視による評価や専用の濃度計や色彩計を用いている。また、更に大規模なシステムとして色測定を行う装置を印刷機械に取り付け、評価、確認を行っているケースもある。
【特許文献１】特願２００４−１７３８１２
【特許文献２】特願２００４−１７５２２５
【発明の開示】
【発明が解決しようとする課題】
【０００３】
しかしながら、目視により評価する方法は人間の感覚によるものであり、個人差により必ずしも正しい評価が行われているとは限らない。また、色彩計等の専用測定機器を用いる方法においては、高価な濃度計や色彩計等の専用測定機器を用いなければならない。
上述の点に鑑み、本発明は、市販のデジタルカメラやカメラ付携帯電話を利用して、印刷色を参照色票と同時に撮影し、撮影データから色彩値や濃度に変換することで、印刷現場において、専用の測定機器を用いることなく、印刷色が基準通り印刷されているかどうかを正確に評価、確認するシステムを提供するものである。
【課題を解決するための手段】
【０００４】
本発明は、印刷色を撮影する撮影手段と、
前記撮影手段で得られた撮影画像の３原色信号を色彩値および濃度に変換する変換手段と、
前記変換手段で得られた色彩値および濃度値とあらかじめ設定された色基準データベースの色彩値および濃度値とを比較し差異を計算する比較手段と、
前記比較手段で計算された差異を表示する表示手段と、
を備えた印刷色評価システムであって、
印刷色は、色彩値および濃度値が既知である１色以上の色票を配置した参照色票と同時に撮影され、
変換手段は、前記参照色票の色彩値あるいは３原色信号データを含む参照色票データベースを参照して、撮影された参照色票の３原色信号と、撮影された指定色の３原色信号とを基に、色彩値に変換する工程を含むものである、
印刷色評価システムに関する。
【０００５】
また、本発明は、参照色票データベースは、あらかじめ２つ以上の撮影条件で参照色票を撮影した３原色信号データおよび色変換パラメータを含むことを特徴とする上記印刷色評価システムに関する。
【０００６】
また、本発明は、色基準データベースは、複数の印刷色に関する色基準を格納したデータベースであって色名称、CMYK値、XYZ、CIEL*a*b*色彩値、および、濃度値を含むことを特徴とする上記印刷色評価システムに関する。
【０００７】
また、変換手段は、撮影手段において印刷色と同時に撮影した参照色票の３原色信号と、参照色票データベースにおける参照色票を撮影した３原色信号とを比較し、３原色信号が一番近い撮影条件を参照色票データベースから検索し、検索された撮影条件の色変換パラメータを使用して、撮影された印刷色の３原色信号を色彩値に変換することを特徴とする上記印刷色評価システムに関する。
【０００８】
また、比較手段は、変換手段により変換された印刷色の色彩値および濃度値と、あらかじめ設定された色基準データベースの色彩値および濃度値とを比較し、色差および濃度差を計算することを特徴とする上記印刷色評価システムに関する。
【０００９】
また、本発明は、表示手段は、比較手段により計算された印刷色と印刷色基準との色差および濃度差の少なくとも１つを表示させることを特徴とする上記印刷色評価システムに関する。
【発明の効果】
【００１０】
本発明により、印刷色が基準通りに印刷されているかどうかの評価、確認を、専用の測定機器を要することなく、市販のデジタルカメラやカメラ付携帯電話を利用して、誰もが正確に実施することができる。
【発明を実施するための最良の形態】
【００１１】
以下、この発明の実施の形態について図面を参照して詳細に説明する。
図１は、本発明の構成を示した図である。本システムは、印刷色（１３）を参照色票（１４）と同時に撮影機器（１２）で撮影する撮影部（１１）と、撮影手段により取得した３原色信号を参照色票データベース（２２）を用いて色彩値に変換する変換手段である変換部（２１）と、変換部（２１）で得られた色彩値から色基準データベース（３２）を用いて印刷色と基準色とを比較する比較手段である比較部（３１）と、比較部（３１）で得られた結果を表示する表示手段である表示部（４１）を備えている。
撮影機器（１２）は、市販のデジタルカメラやカメラ付携帯電話など撮影画像のRGB３原色信号を得ることができる撮影機器で良い。
また、表示部（４１）としては、プリンタ、ディスプレイなどが例示できる。
【００１２】
図２は、参照色票の例および印刷色との隣接撮影の例を示した図である。色票１（C1）から色票８（C8）はあらかじめ色彩値が既知の８色の色票である。参照色票中央は切り抜いておく（P１）。印刷色（P０）の上に参照色票（C０）を置くことで、印刷色（P１）と参照色票（C1〜C８）を隣接して撮影することが可能となる。参照色票に配置する色数や配置する色に特に制限は無く、色数を増やすことにより、高精度な色変換が可能となる。
参照色票の大きさ・形状は、撮影後にそれぞれを３原色信号に分解できる程度の領域があれば特に限定されない。
８色の組み合わせであれば、例えば、シアン、マゼンタ、イエロー、ブラック、レッド、グリーン、ブルー、ホワイトなどの組み合わせなどが例示できる。また、印刷物の色評価においては、シアン、マゼンタ、イエロー、ブラックのベタ色（１００％網点）を用いることが多いため、確認したい基準色を中心に、基準色に近似した周辺色を配置した複数の参照色票を用意しても良い。例えば基準となるシアン１００％ベタ色を含み基準となるシアン１００％ベタ色を中心に濃度を振った色票を配置した参照色票が例示できる。同様に基準となるマゼンタ１００％、イエロー１００％、ブラック１００％ベタ色を含み各々の基準となるベタ色を中心に濃度を振った色票を配置した基準色ごとの参照色票が例示できる。
【００１３】
参照色票データベース（２２）には、異なる撮影条件毎に撮影条件（２２１）、変換パラメータ（２２２）、参照色票各色票のRGB３原色信号（２２３）を格納しておく。撮影条件毎の変換パラメータ（２２２）はあらかじめ撮影条件毎に撮影して得られた参照色票のRGB３原色信号と参照色票の色彩値および濃度との関連から設定しておく。
２つ以上の撮影条件として、例えば、撮影機器、撮影モード、光源の条件をふって撮影することが挙げられる。
変換パラメータは、例えば、多項式近似法にて求めることができる。
【００１４】
色基準データベース（３２）には、色基準毎に色名称（３２１）、CMYK（プロセス印刷におけるシアン、マゼンタ、イエロー、ブラックの網点パーセント）値（３２２）、色彩値（XYZ、CIEL*a*b*等）（３２３）、濃度値（３２４）が格納されている。
【００１５】
図３は、本発明のフローを示した図である。本発明によるシステムは、印刷色と参照色票を同時に撮影する（S１１）。次に撮影された画像データから印刷色部分および参照色票部分のRGB３原色信号を抽出する（S２１）。抽出した参照色票部分のRGB３原色信号と参照色票データベース（S３２）に格納されている撮影条件毎の参照色票RGB値とを比較し抽出した参照色票部分のRGB３原色信号に最も近いRGB３原色信号を持つ撮影条件を選択する（S３１）。次に選択した撮影条件に格納されている変換パラメータを用いて多項式近似法により印刷色部分のRGB原色信号を色彩値に変換する（S４１）。
印刷色のRGB３原色信号を、多項式近似法により色彩値（XYZ、CIEL*a*b*等）に変換する方法は、
例えば、（式１）を用い、
【００１６】
2007028143.tif 000003
【００１７】
変数a、a'、a"、b、ｂ'、ｂ“、c、ｃ'、ｃ"、ｄ、ｄ'、ｄ"は、撮影条件毎に参照色票データベースに格納された変換パラメータである。本実施例では3変数１次の変換式を示しているが、3変数2次でも3次でも用いて良い。また、（式１）による変数を用意して計算する代わりに、撮影条件毎のＩＣＣ（インターナショナルカラーコソーシアム）準拠のプロファイルを用いても良い。
【００１８】
印刷色のRGB３原色信号を、対数近似法により印刷CMYK（シアン、マゼンタ、イエロー、ブラック）の濃度値に変換する方法は
（式２）を用い、
【００１９】
2007028143.tif 000004
【００２０】
変数a2、a2'、a2"、b2、ｂ2'、ｂ2“は、撮影条件毎に参照色票データベースに格納された変換パラメータである。対数近似法以外にも、２次、あるいは３次、あるいは多項式による関数近似法用いても良い。
【００２１】
比較手段では、変換手段で得られた色彩値および濃度値と、あらかじめ設定された色基準データベースの色彩値および濃度値とを比較し差異を計算する。計算する差異は、色彩値の差異である色差、濃度値の差異である濃度差のほか、これらを組み合わせた評価パラメータの差異であってもよい。
印刷色と色基準とを比較するため、色名称またはＣＭＹＫ値を指定し（S５０）、変換された印刷色の色彩値および濃度値と、色基準データベース（S５２）に格納されている色名称またはＣＭＹＫ値に該当する色彩値および濃度値とを比較し、色差および濃度差を計算する。（S５１）。
【００２２】
最後に取得した色差および濃度差を表示する（S６１）。表示する情報は、色差および濃度差の少なくとも１つであればよく、印刷色および色基準の色彩値、濃度値、印刷色と色基準との色差、濃度差が可能である。また、濃度差から、印刷色を色基準に近づけるための指示（濃度を上げる、濃度を下げる）を表示しても良い。
【００２３】
以上、本システムにより、印刷色の評価、確認を行う印刷現場において、専用の濃度計や測定機器を有することなく、誰もが正確に色基準に対する印刷色の評価、確認が可能となる。
【図面の簡単な説明】
【００２４】
【図１】本システムの構成図
【図２】本システムの参照色票と指定色との隣接撮影の例
【図３】本システムを実施するフローチャート
【図１】
2007028143.tif 000005
【図２】
2007028143.tif 000006
【図３】
2007028143.tif 000007